(57)【要約】【課題】  ヒートパイプを目立ちにくくさせ、小型化が可能であって、光源からの熱をヒートパイプに効率良く伝えることの可能な照明装置を提供する。【解決手段】  本発明の照明装置１では、ヒートパイプ４は、長さ方向において、１本のパイプ部分４ａと、１本のパイプ部分４ａから複数に分岐した複数本の分岐パイプ部分４ｂ，４ｃとからなっており、該ヒートパイプ４の１本のパイプ部分４ａの複数本の分岐パイプ部分４ｂ，４ｃとは反対の側は、ヒートシンク５に支持され、複数本の分岐パイプ部分４ｂ，４ｃには、光源設置ブロック３が取り付けられる。【選択図】      図２
2010212118.tif 000002
【特許請求の範囲】
【請求項１】
光源と、金属部材からなり、前記光源が設置される光源設置ブロックと、内部に所定の液体が封入されているヒートパイプと、ヒートシンクとを備えた照明装置であって、
前記ヒートパイプは、長さ方向において、１本のパイプ部分と、１本のパイプ部分から複数に分岐した複数本の分岐パイプ部分とからなっており、該ヒートパイプの前記１本のパイプ部分の前記複数本の分岐パイプ部分とは反対の側は、前記ヒートシンクに支持され、前記複数本の分岐パイプ部分には、前記光源設置ブロックが取り付けられることを特徴とする照明装置。
【請求項２】
請求項１記載の照明装置において、前記ヒートパイプの前記複数本の分岐パイプ部分は、所定範囲が所定の同じ曲率で曲げられており、
前記光源設置ブロックは、前記ヒートパイプの前記複数本の分岐パイプ部分とそれぞれ対応させて、前記複数本の分岐パイプ部分の所定範囲の前記所定の曲率と同じ曲率で曲げられている複数の貫通孔を有し、該複数の貫通孔内に前記ヒートパイプの前記複数本の分岐パイプ部分の前記所定範囲を貫通させることにより、前記ヒートパイプの前記複数本の分岐パイプ部分の前記所定範囲内において、前記ヒートパイプの前記複数本の分岐パイプ部分に対して摺動可能に前記ヒートパイプの前記複数本の分岐パイプ部分に接して取り付けられており、
前記光源設置ブロックまたは前記ヒートパイプには、前記ヒートパイプの前記複数本の分岐パイプ部分の前記所定範囲内の所定位置に前記光源設置ブロックが位置されるときに、前記ヒートパイプの前記複数本の分岐パイプ部分に対する該光源設置ブロックの該位置を保持する保持手段が設けられていることを特徴とする照明装置。
【請求項３】
請求項１または請求項２記載の照明装置において、前記複数本の分岐パイプ部分は、前記光源設置ブロックの光源が設置される面に対して垂直方向に並置されており、前記複数本の分岐パイプ部分の並置方向の線上に、前記光源が配置されていることを特徴とする照明装置。
【請求項４】
請求項１または請求項２記載の照明装置において、前記複数本の分岐パイプ部分は、前記光源設置ブロックの光源が設置される面と平行な方向に並置されており、前記光源設置ブロックの光源が設置される面と平行な方向に並置されている前記複数本の分岐パイプ部分のうちの両端の分岐パイプ部分の中心を結ぶ線分の中点を通って該線分と垂直の線上に、前記光源が配置され、前記光源と前記複数本の分岐パイプ部分のうちの両端の分岐パイプ部分の中心を結ぶ線分との距離をＸとし、前記複数本の分岐パイプ部分のうちの両端の分岐パイプ部分の中心を結ぶ線分の長さをＹとするとき、Ｙ／Ｘが１〜５の範囲内であることを特徴とする照明装置。
【請求項５】
請求項１乃至請求項４のいずれか一項に記載の照明装置において、前記保持手段は、前記光源設置ブロックを前記ヒートパイプに付勢するバネ部材であることを特徴とする照明装置。
【請求項６】
請求項１乃至請求項４のいずれか一項に記載の照明装置において、前記保持手段は、前記光源設置ブロックの前記ヒートパイプに対する密接状態と解放状態とを切り替える切替機構であることを特徴とする照明装置。
【請求項７】
請求項１乃至請求項６のいずれか一項に記載の照明装置において、前記光源が複数設けられる場合に、該複数の光源は、前記ヒートパイプの長さ方向に沿って配置されるように前記光源設置ブロックに配置されることを特徴とする照明装置。
【請求項８】
請求項１乃至請求項７のいずれか一項に記載の照明装置において、前記光源は、ＬＥＤであることを特徴とする照明装置。
【発明の詳細な説明】
【技術分野】
【０００１】
本発明は、照明装置に関する。
【背景技術】
【０００２】
従来、特許文献１に示されているような照明装置が提案されている。図１は特許文献１に示されている照明装置を示す図である。図１を参照すると、特許文献１の照明装置１０１は、基板の表面に複数のＬＥＤ素子を備える発光モジュール１００と、発光モジュール１００を保持するホルダ２００と、ヒートシンク３００と、ＬＥＤ素子発光時の熱をホルダ２００からヒートシンク３００に伝える２本のヒートパイプ４１０、４２０とを備えている。
【０００３】
ここで、２本のヒートパイプ４１０、４２０は、ホルダ２００の両端に、ホルダ２００がヒートパイプ４１０、４２０の軸心方向に移動可能となるように、設けられている。また、各ヒートパイプ４１０、４２０は、熱伝導性の高い金属パイプ（例えば、銅製）内に作動液を真空封入したものであり、金属パイプの一部が熱せられると、内部の作動液が蒸発して金属パイプ内を移動することで、熱を伝導させるようになっている。より具体例として、金属パイプの内壁に毛細管構造を備えたものもあり、また、作動液としては例えば水や代替フロンなどが封入されている。
【先行技術文献】
【特許文献】
【０００４】
【特許文献１】特開２００５−２５１６２２号公報
【発明の概要】
【発明が解決しようとする課題】
【０００５】
しかしながら、上述したような従来の照明装置１０１では、ホルダ２００の両端に設けられた２本のヒートパイプ４１０、４２０は、それぞれ別体としてヒートシンク３００まで延びている構造となっているので、外観上、２本のヒートパイプ４１０、４２０が目立ち、ヒートパイプを目立ちにくくさせたい用途には適していない（２本のヒートパイプ４１０、４２０によって、意匠上、美観が損なわれる）という問題があった。また、２本のヒートパイプ４１０、４２０は、それぞれ別体としてヒートシンク３００まで延びている構造となっているので、照明装置１０１のサイズを小型化するには限界があった。
【０００６】
また、従来の照明装置１０１では、２本のヒートパイプ４１０、４２０は、ホルダ２００の両端に設けられているので、ＬＥＤ素子発光時の熱をホルダ２００から２本のヒートパイプ４１０、４２０に効率よく伝えることができないという問題があった。
【０００７】
本発明は、ヒートパイプを目立ちにくくさせ、小型化が可能であって、光源からの熱をヒートパイプに効率良く伝えることの可能な照明装置を提供することを目的としている。
【課題を解決するための手段】
【０００８】
上記目的を達成するために、請求項１記載の発明は、光源と、金属部材からなり、前記光源が設置される光源設置ブロックと、内部に所定の液体が封入されているヒートパイプと、ヒートシンクとを備えた照明装置であって、
前記ヒートパイプは、長さ方向において、１本のパイプ部分と、１本のパイプ部分から複数に分岐した複数本の分岐パイプ部分とからなっており、該ヒートパイプの前記１本のパイプ部分の前記複数本の分岐パイプ部分とは反対の側は、前記ヒートシンクに支持され、前記複数本の分岐パイプ部分には、前記光源設置ブロックが取り付けられることを特徴としている。
【０００９】
また、請求項２記載の発明は、請求項１記載の照明装置において、前記ヒートパイプの前記複数本の分岐パイプ部分は、所定範囲が所定の同じ曲率で曲げられており、
前記光源設置ブロックは、前記ヒートパイプの前記複数本の分岐パイプ部分とそれぞれ対応させて、前記複数本の分岐パイプ部分の所定範囲の前記所定の曲率と同じ曲率で曲げられている複数の貫通孔を有し、該複数の貫通孔内に前記ヒートパイプの前記複数本の分岐パイプ部分の前記所定範囲を貫通させることにより、前記ヒートパイプの前記複数本の分岐パイプ部分の前記所定範囲内において、前記ヒートパイプの前記複数本の分岐パイプ部分に対して摺動可能に前記ヒートパイプの前記複数本の分岐パイプ部分に接して取り付けられており、
前記光源設置ブロックまたは前記ヒートパイプには、前記ヒートパイプの前記複数本の分岐パイプ部分の前記所定範囲内の所定位置に前記光源設置ブロックが位置されるときに、前記ヒートパイプの前記複数本の分岐パイプ部分に対する該光源設置ブロックの該位置を保持する保持手段が設けられていることを特徴としている。
【００１０】
また、請求項３記載の発明は、請求項１または請求項２記載の照明装置において、前記複数本の分岐パイプ部分は、前記光源設置ブロックの光源が設置される面に対して垂直方向に並置されており、前記複数本の分岐パイプ部分の並置方向の線上に、前記光源が配置されていることを特徴としている。
【００１１】
また、請求項４記載の発明は、請求項１または請求項２記載の照明装置において、前記複数本の分岐パイプ部分は、前記光源設置ブロックの光源が設置される面と平行な方向に並置されており、前記光源設置ブロックの光源が設置される面と平行な方向に並置されている前記複数本の分岐パイプ部分のうちの両端の分岐パイプ部分の中心を結ぶ線分の中点を通って該線分と垂直の線上に、前記光源が配置され、前記光源と前記複数本の分岐パイプ部分のうちの両端の分岐パイプ部分の中心を結ぶ線分との距離をＸとし、前記複数本の分岐パイプ部分のうちの両端の分岐パイプ部分の中心を結ぶ線分の長さをＹとするとき、Ｙ／Ｘが１〜５の範囲内であることを特徴としている。
【００１２】
また、請求項５記載の発明は、請求項１乃至請求項４のいずれか一項に記載の照明装置において、前記保持手段は、前記光源設置ブロックを前記ヒートパイプに付勢するバネ部材であることを特徴としている。
【００１３】
また、請求項６記載の発明は、請求項１乃至請求項４のいずれか一項に記載の照明装置において、前記保持手段は、前記光源設置ブロックの前記ヒートパイプに対する密接状態と解放状態とを切り替える切替機構であることを特徴としている。
【００１４】
また、請求項７記載の発明は、請求項１乃至請求項６のいずれか一項に記載の照明装置において、前記光源が複数設けられる場合に、該複数の光源は、前記ヒートパイプの長さ方向に沿って配置されるように前記光源設置ブロックに配置されることを特徴としている。
【００１５】
また、請求項８記載の発明は、請求項１乃至請求項７のいずれか一項に記載の照明装置において、前記光源は、ＬＥＤであることを特徴としている。
【発明の効果】
【００１６】
請求項１乃至請求項８記載の発明によれば、光源と、金属部材からなり、前記光源が設置される光源設置ブロックと、内部に所定の液体が封入されているヒートパイプと、ヒートシンクとを備えた照明装置であって、
前記ヒートパイプは、長さ方向において、１本のパイプ部分と、１本のパイプ部分から複数に分岐した複数本の分岐パイプ部分とからなっており、該ヒートパイプの前記１本のパイプ部分の前記複数本の分岐パイプ部分とは反対の側は、前記ヒートシンクに支持され、前記複数本の分岐パイプ部分には、前記光源設置ブロックが取り付けられるので、前述した従来の照明装置と比べて、ヒートパイプを目立ちにくくさせ、小型化が可能であって、光源からの熱をヒートパイプまで効率良く伝えることができる。
【００１７】
特に、請求項２記載の発明によれば、請求項１記載の照明装置において、前記ヒートパイプの前記複数本の分岐パイプ部分は、所定範囲が所定の同じ曲率で曲げられており、
前記光源設置ブロックは、前記ヒートパイプの前記複数本の分岐パイプ部分とそれぞれ対応させて、前記複数本の分岐パイプ部分の所定範囲の前記所定の曲率と同じ曲率で曲げられている複数の貫通孔を有し、該複数の貫通孔内に前記ヒートパイプの前記複数本の分岐パイプ部分の前記所定範囲を貫通させることにより、前記ヒートパイプの前記複数本の分岐パイプ部分の前記所定範囲内において、前記ヒートパイプの前記複数本の分岐パイプ部分に対して摺動可能に前記ヒートパイプの前記複数本の分岐パイプ部分に接して取り付けられており、
前記光源設置ブロックまたは前記ヒートパイプには、前記ヒートパイプの前記複数本の分岐パイプ部分の前記所定範囲内の所定位置に前記光源設置ブロックが位置されるときに、前記ヒートパイプの前記複数本の分岐パイプ部分に対する該光源設置ブロックの該位置を保持する保持手段が設けられているので、光源から出射される光の出射方向（光源から出射される光の照射範囲）の角度調整が可能であり、光源から出射される光の出射方向（光源から出射される光の照射範囲）の角度調整が可能である場合にも、光源からの熱をヒートパイプまで効率良く伝えることができる。
【図面の簡単な説明】
【００１８】
【図１】特許文献１に示されている照明装置を示す図である。
【図２】本発明の照明装置の構成例を示す図である。
【図３】本発明の照明装置のヒートパイプを示す図である。
【図４】本発明の照明装置の光源設置ブロックを示す図である。
【図５】図２のＡ−Ａ線における断面図である。
【図６】ヒートシンクの大きさを変えたときの光源発光時の光源設置ブロックの温度の測定結果を示す図である。
【図７】光源設置ブロックとヒートパイプとの接触面積の大きさによる熱特性の検証を行う構成を示す図である。
【図８】光源設置ブロックの長さＨＢを変えたときの光源発光時の光源設置ブロックの温度の測定結果を示す図である。
【図９】光源の照射範囲の角度調整を行うときの操作を説明するための図である。
【図１０】本発明のヒートパイプの変形例を示す図である。
【図１１】本発明のヒートパイプの構成例を示す図である。
【図１２】本発明のヒートパイプの変形例を示す図である。
【図１３】本発明のヒートパイプの変形例を示す図である。
【図１４】本発明のヒートパイプの変形例を示す図である。
【図１５】本発明のヒートパイプの変形例を示す図である。
【図１６】ヒートパイプの他の断面形状を示す図である。
【図１７】ヒートパイプの他の断面形状を示す図である。
【図１８】光源設置ブロックに複数の光源が設置された照明装置を示す図である。
【図１９】ＬＥＤなどの光源の光出射面の側にレンズを設けた例を示す図である。
【図２０】本発明の照明装置の適用例を示す図である。
【発明を実施するための最良の形態】
【００１９】
以下、本発明の実施形態を図面に基づいて説明する。
【００２０】
図２は本発明の照明装置の構成例を示す図である。図２の例では、本発明の照明装置１は、ＬＥＤなどの光源２と、光源２が設置される光源設置ブロック３と、内部に所定の液体が封入されているヒートパイプ４とを備えている。
【００２１】
ここで、ヒートパイプ４は、熱伝導性の高い金属パイプ（例えば、銅製）内に作動液を真空封入したものであり、金属パイプの一部が熱せられると、内部の作動液が蒸発して金属パイプ内を移動することで、熱を伝導させるようになっている。より具体例として、金属パイプの内壁に毛細管構造を備えたものもあり、また、作動液としては例えば水や代替フロンなどが封入されている。
【００２２】
ところで、本発明では、ヒートパイプ４は、長さ方向において、１本のパイプ部分４ａと、１本のパイプ部分４ａから複数に分岐した複数本の分岐パイプ部分（図２の例では、２本の分岐パイプ部分４ｂ、４ｃ）とからなっている。
【００２３】
図３，図４は、図２に示した本発明の照明装置１の分解図であり、図３はヒートパイプ４を示す図、図４は光源設置ブロック３を示す図（拡大図）である。
【００２４】
図３を参照すると、この例では、ヒートパイプ４の長さ方向の中央部（中点）Ｐに対して他方の側Ｆは、１本のパイプ部分４ａからなっており、１本のパイプ部分４ａの例えば先端部は、ヒートパイプ４からの熱を外部に放熱するためのヒートシンク５に支持されている。ここで、ヒートシンク５は、例えば、ベース板と、放熱フィンとから構成されている。
【００２５】
また、図３を参照すると、この例では、ヒートパイプ４は、該ヒートパイプ４の長さ方向の中央部（中点）Ｐに対して一方の側Ｅが、１本のパイプ部分４ａから複数に分岐した複数本の分岐パイプ部分（図２、図３の例では、２本の分岐パイプ部分４ｂ、４ｃ）となっている。
【００２６】
そして、ヒートパイプ４の複数本の分岐パイプ部分４ｂ、４ｃは、所定範囲Ｄが所定の同じ曲率（同じ曲率中心Ｚをもつ一定の半径ｒ１，ｒ２）で曲げられている。すなわち、ヒートパイプ４の複数本の分岐パイプ部分４ｂ、４ｃのそれぞれは、後述のように光源２の照射範囲の角度調整ができるような曲率（同じ曲率中心Ｚをもつ一定の半径ｒ１，ｒ２）で曲げられている。
【００２７】
また、図４を参照すると、本発明では、光源設置ブロック３は、金属部材（Ａｌなど）からなり、前記ヒートパイプ４の前記複数本の分岐パイプ部分４ｂ、４ｃとそれぞれ対応させて、複数の貫通孔３ｂ，３ｃを有し、該複数の貫通孔３ｂ，３ｃ内に前記ヒートパイプ４の前記複数本の分岐パイプ部分４ｂ、４ｃを貫通させることにより、光源設置ブロック３は、ヒートパイプ４の前記複数本の分岐パイプ部分４ｂ、４ｃに取り付けられている。
【００２８】
より具体的に、本発明では、光源設置ブロック３は、前記ヒートパイプ４の前記複数本の分岐パイプ部分４ｂ、４ｃとそれぞれ対応させて、前記複数本の分岐パイプ部分４ｂ、４ｃの所定範囲Ｄの前記所定の曲率と同じ曲率で曲げられている複数の貫通孔３ｂ，３ｃを有し、該複数の貫通孔３ｂ，３ｃ内に前記ヒートパイプ４の前記複数本の分岐パイプ部分４ｂ、４ｃの前記所定範囲Ｄを貫通させることにより、前記ヒートパイプ４の前記複数本の分岐パイプ部分４ｂ、４ｃの前記所定範囲Ｄ内において、前記ヒートパイプ４の前記複数本の分岐パイプ部分４ｂ、４ｃに対して摺動可能に前記ヒートパイプ４の前記複数本の分岐パイプ部分４ｂ、４ｃに接して取り付けられている。なお、光源設置ブロック３は、ヒートパイプ４の前記複数本の分岐パイプ部分４ｂ、４ｃに対して摺動可能に取り付けられる場合、ヒートパイプ４への熱伝導を良好なものにするため、複数本の分岐パイプ部分４ｂ、４ｃとの接触面積が最大となるように複数本の分岐パイプ部分４ｂ、４ｃに対して設けられるのが良い。具体的には、光源設置ブロック３は、複数本の分岐パイプ部分４ｂ、４ｃの外周に例えば密接して摺動可能に設けられるのが好ましい。
【００２９】
図５には、ヒートパイプ４の前記複数本の分岐パイプ部分４ｂ、４ｃに接して（例えば密接して）取り付けられている光源設置ブロック３の断面図（図２のＡ−Ａ線における断面図）が示されている。図５の例では、ヒートパイプ４の前記複数本の分岐パイプ部分４ｂ、４ｃは断面が円環状のものとなっており、光源設置ブロック３の複数の貫通孔３ｂ，３ｃは断面が円形のものとなっている。
【００３０】
また、本発明では、前記光源設置ブロック３または前記ヒートパイプ４には、前記ヒートパイプ４の前記複数本の分岐パイプ部分４ｂ、４ｃの前記所定範囲Ｄ内の所定位置に前記光源設置ブロック３が位置されるときに、前記ヒートパイプ４の前記複数本の分岐パイプ部分４ｂ、４ｃに対する該光源設置ブロック３の該位置を保持する保持手段が設けられている。
【００３１】
前記保持手段としては、例えば、前記光源設置ブロック３を前記ヒートパイプ４の前記複数本の分岐パイプ部分４ｂ、４ｃに付勢するバネ部材であっても良いし、前記光源設置ブロック３の前記ヒートパイプ４の前記複数本の分岐パイプ部分４ｂ、４ｃに対する密接状態と解放状態とを切り替える切替機構などであっても良い。
【００３２】
図５の例では、保持手段は、前記光源設置ブロック３に設けられた金属（Ａｌなど）のバネ部材７ｂ、７ｃとして構成され、Ｋの方向に付勢力を及ぼして、ヒートパイプ４の前記複数本の分岐パイプ部分４ｂ、４ｃに対する光源設置ブロック３の位置を保持するようになっている。なお、バネ部材７ｂ、７ｃは、光源設置ブロック３の前記複数本の分岐パイプ部分４ｂ、４ｃ外周全体にわたって設けられても良いが、例えば１箇所だけに設けるとした場合には、図５の例のように光源設置ブロック３の光源２が設けられる側とは反対の側に設けられるのが良い。
【００３３】
このような構成の本発明の照明装置１では、ヒートパイプ４は、長さ方向において、１本のパイプ部分４ａと、１本のパイプ部分４ａから複数に分岐した複数本の分岐パイプ部分（図２の例では、２本の分岐パイプ部分４ｂ、４ｃ）とからなっており、該ヒートパイプの前記１本のパイプ部分４ａの前記複数本の分岐パイプ部分４ｂ、４ｃとは反対の側は、ヒートシンク５に支持され、前記複数本の分岐パイプ部分４ｂ、４ｃには、光源設置ブロック３が取り付けられており、１本のパイプ部分４ａがあることによって、ヒートパイプを目立ちにくくさせ、小型化が可能となり、また、複数本の分岐パイプ部分４ｂ、４ｃに光源設置ブロック３が取り付けられていることによって、光源２からの熱をヒートパイプ４、すなわち複数本の分岐パイプ部分４ｂ、４ｃに効率良く伝えることができる。
【００３４】
実際、本願の発明者は、まず、ヒートシンク５の大きさによる熱特性を検証した。図６（ａ），（ｂ），（ｃ），（ｄ）には、ヒートシンク５の大きさを変えたときの光源２発光時の光源設置ブロック３の温度の測定結果が示されている。なお、この測定では、ヒートパイプ４として、在来の１本のヒートパイプ４を用い、この１本のヒートパイプ４に光源設置ブロック３を取り付けた。図６（ａ），（ｂ），（ｃ），（ｄ）では、ヒートシンク５の大きさは、それぞれ、９０×９０×８０ｍｍ３、９０×２７０×８０ｍｍ３、１８０×２７０×８０ｍｍ３、１８０×２７０×１６０ｍｍ３であり、光源２発光時の光源設置ブロック３の温度は、それぞれ、６７．５℃、６０．２℃、５９．６℃、５１．５℃となった。この結果から、ヒートシンク５の大きさを大きくしても、光源２発光時の光源設置ブロック３の温度は、差程低下せず、従って、ヒートシンク５の大きさを大きくすることによる効果は、差程望めない。
【００３５】
また、本願の発明者は、光源設置ブロック３とヒートパイプ４との接触面積の大きさによる熱特性を検証した。なお、この検証では、図７（ａ），（ｂ）に示すように、ヒートパイプ４として、在来の１本のヒートパイプ４を用い、この１本のヒートパイプ４に光源設置ブロック３を取り付けた。図７（ａ）において、ＨＢはヒートパイプ４の長さ方向Ｆにおける光源設置ブロック３の長さである。また、図７（ｂ）は図７（ａ）のＢ−Ｂ線における断面図である。図８には、光源設置ブロック３の長さＨＢを変えたときの光源２発光時の光源設置ブロック３の温度の測定結果が示されている。図８の結果から、光源設置ブロック３の長さＨＢが１００ｍｍ以内のとき、光源設置ブロック３の長さＨＢを長くすると、光源２発光時の光源設置ブロック３の温度は、大きく低下することがわかる。従って、本発明のように、複数本の分岐パイプ部分４ｂ、４ｃに光源設置ブロック３が取り付けられる場合は、実質的に、光源設置ブロック３の長さＨＢが分岐パイプ部分の本数倍（図２の例では、２倍）長くなることになり、図８から、光源２発光時の光源設置ブロック３の温度を、大きく低下させることができることがわかる。
【００３６】
このように、本発明では、複数本の分岐パイプ部分４ｂ、４ｃに光源設置ブロック３が取り付けられていることによって、実質的に、光源設置ブロック３の長さＨＢが分岐パイプ部分の本数倍だけ長くなることになり（光源設置ブロック３とヒートパイプ４との接触面積が大きくなることになり）、光源２からの熱をヒートパイプ４、すなわち複数本の分岐パイプ部分に効率良く伝えることができ、光源２発光時の光源設置ブロック３の温度を大きく低下させることができる。
【００３７】
また、本発明では、光源設置ブロック３は、前記ヒートパイプ４の前記複数本の分岐パイプ部分４ｂ、４ｃの前記所定範囲Ｄ内において、前記ヒートパイプ４の前記複数本の分岐パイプ部分４ｂ、４ｃに対して摺動可能に前記ヒートパイプ４の前記複数本の分岐パイプ部分４ｂ、４ｃに接して取り付けられているので、光源２から出射される光の出射方向（光源２から出射される光の照射範囲）の角度調整が可能となる。
【００３８】
具体的に、保持手段が図５に示すようなバネ部材７として構成されているとした場合、光源２の照射範囲の角度調整を行うときには、図９に示すように、作業者は、所定の曲率で曲げられているヒートパイプ４の前記複数本の分岐パイプ部分４ｂ、４ｃの所定範囲Ｄ内で、バネ部材７の付勢力に抗する力で光源設置ブロック３を、矢印Ｃに示すように、所定の曲率で曲げられているヒートパイプ４の前記複数本の分岐パイプ部分４ｂ、４ｃに沿ってヒートパイプ４の前記複数本の分岐パイプ部分４ｂ、４ｃの所望の位置まで摺動させる。これにより、光源２の照射範囲の角度調整を容易に行うことができる。すなわち、上記曲率の中心を軸Ｚとするとき、光源設置ブロック３を軸Ｚを中心としてヒートパイプ４の前記複数本の分岐パイプ部分４ｂ、４ｃの所望の位置まで移動（回転）させることにより、一平面内における光源２の照射範囲の角度調整が可能となる。
【００３９】
なお、上述の例では、分岐パイプ部分が２本である場合を示したが、図１０のように、分岐パイプ部分が２本以上（例えば、３本）であっても良い。
【００４０】
また、上述の例では、例えば図１１に示すように、前記複数本の分岐パイプ部分４ｂ、４ｃは、前記光源設置ブロック３の光源２が設置される面９に対して垂直方向に並置されており、前記複数本の分岐パイプ部分４ｂ、４ｃの並置方向の線上に、光源２が配置されているようになっている。ここで、光源２から該光源２に最も近い分岐パイプ部分４ｃとの距離ｄ１は、例えば０．５ｍｍ〜３ｍｍの範囲であり、また、隣接する分岐パイプ部分４ｂ、４ｃ間の間隔ｄ２は、例えば０．５ｍｍ〜３ｍｍの範囲である。なお、これは、図１０のように分岐パイプ部分が２本以上（例えば、３本）の場合にも当てはまる。
【００４１】
このように、上述の例では、前記複数本の分岐パイプ部分は、図１１，図１０に示すように、前記光源設置ブロック３の光源２が設置される面９に対して垂直方向に並置されており、前記複数本の分岐パイプ部分の並置方向の線１５上に、光源２が配置されているようになっているが、図１２に示すように、前記複数本の分岐パイプ部分４ｂ、４ｃは、前記光源設置ブロック３の光源２が設置される面９と平行な方向に並置されており、前記光源設置ブロック３の光源２が設置される面９と平行な方向に並置されている前記複数本の分岐パイプ部分４ｂ、４ｃのうちの両端の分岐パイプ部分（いまの場合、４ｂ、４ｃ）の中心を結ぶ線分１６の中点Ｑを通って該線分１６と垂直の線１７上に、光源２が配置されても良い。なお、図１２の例では、分岐パイプ部分が２本である場合を示したが、図１３のように、分岐パイプ部分が２本以上（例えば、３本）であっても良い。また、図１２あるいは図１３の例の場合にも、図１４に斜視図で示すように、複数本の分岐パイプ部分４ｂ、４ｃは、１本のパイプ部分４ａから分岐するが、図３の場合と異なり、複数本の分岐パイプ部分４ｂ、４ｃは、互いに平行な位置関係にあり、所定範囲Ｄが所定の同じ曲率（いずれも同じ半径ｒ）で曲げられている。すなわち、ヒートパイプ４の複数本の分岐パイプ部分４ｂ、４ｃのそれぞれは、光源２の照射範囲の角度調整ができるような曲率（一定の半径ｒ）で曲げられ、互いに平行な位置関係にある。
【００４２】
また、図１２あるいは図１３の例の場合には、光源２と前記複数本の分岐パイプ部分のうちの両端の分岐パイプ部分の中心を結ぶ線分１６との距離をＸとし、前記複数本の分岐パイプ部分のうちの両端の分岐パイプ部分の中心を結ぶ線分１６の長さをＹとするとき、Ｙ／Ｘが１〜５の範囲内であることが望ましい。また、このとき、光源２から分岐パイプ部分との距離ｄ３は、例えば０．５ｍｍ〜３ｍｍの範囲である。
【００４３】
また、図１５に示すように、図１０あるいは図１１の例と図１２あるいは図１３の例とを組み合わせた構成にすることもできる。
【００４４】
また、上述の各例では、ヒートパイプ４は断面が円環状のものとなっているとしたが、図１６、図１７に示すように、ヒートパイプ４は、断面が三角形状、四角形状など、任意の形状のものにすることができる。
【００４５】
また、上述の例では、光源設置ブロック３に１つの光源２が設置される場合を示したが、光源設置ブロック３に複数の光源２−１，２−２，・・・，２−ｎ（ｎ≧２）を設置することも可能である。図１８は、光源設置ブロック３に複数の光源２−１，２−２，・・・，２−ｎ（ｎ≧２）が設置された照明装置１を示す図（図２に対応した図）であり、光源設置ブロック３に複数の光源２−１，２−２，・・・，２−ｎ（ｎ≧２）を設置する場合には、該複数の光源２−１，２−２，・・・，２−ｎ（ｎ≧２）は、ヒートパイプ４の長さ方向に沿って配置されるのが好ましい。これにより、各光源２−１，２−２，・・・，２−ｎ（ｎ≧２）からヒートパイプ４の複数本の分岐パイプ部分４ｂ、４ｃまでの距離を最短化することができ、各光源２−１，２−２，・・・，２−ｎ（ｎ≧２）からの熱を効率よく放熱できる。
【００４６】
図２，図１４，図１８の例において、ＬＥＤなどの光源２の光出射面の側にレンズなどの光学部材をさらに設けることもできる。図１９には、ＬＥＤなどの光源２の光出射面の側にレンズ２０を設けた例が示されている。なお、図１９は、図２に対応した図となっている。
【００４７】
また、図２０は本発明の照明装置１の一適用例を示す図（図１９に対応した図）であり、図２０の例では、本発明の照明装置１の一方の側Ｅの部分をショーケース１０内に設置し、ショーケース１０内の所定の展示物（例えば宝石）１１を照明するのに用いている。この場合、本発明の照明装置１を用いることで、光源２を点灯しても、ショーケース１０内の温度が高くなるのを有効に防止できる。また、本発明の照明装置１は、ショーケース内の所定の展示物（例えば宝石）の照明の他にも、例えば一般照明用灯具や車両用照明灯具などにも適用可能である。
【産業上の利用可能性】
【００４８】
本発明は、ショーケース内の所定の展示物（例えば宝石）の照明などに利用可能である。
【符号の説明】
【００４９】
１          照明装置
２          光源
３          光源設置ブロック
４          ヒートパイプ
４ａ        １本のパイプ部分
４ｂ、４ｃ          複数本の分岐パイプ部分
５          ヒートシンク
７          バネ部材
１０        ショーケース
２０        レンズ
【図１】
2010212118.tif 000003
【図２】
2010212118.tif 000004
【図３】
2010212118.tif 000005
【図４】
2010212118.tif 000006
【図５】
2010212118.tif 000007
【図６】
2010212118.tif 000008
【図７】
2010212118.tif 000009
【図８】
2010212118.tif 000010
【図９】
2010212118.tif 000011
【図１０】
2010212118.tif 000012
【図１１】
2010212118.tif 000013
【図１２】
2010212118.tif 000014
【図１３】
2010212118.tif 000015
【図１４】
2010212118.tif 000016
【図１５】
2010212118.tif 000017
【図１６】
2010212118.tif 000018
【図１７】
2010212118.tif 000019
【図１８】
2010212118.tif 000020
【図１９】
2010212118.tif 000021
【図２０】
2010212118.tif 000022